(57)【要約】【課題】携帯用便器を設置環境に応じて自由な形態とできる。【解決手段】便器本体１の上面に背もたれ２０及び左右の肘掛け３０を着脱自在に配した携帯用便器において、便器本体の上面の左右に長穴状の挿入穴４を配すると共に、背もたれの左右の支持脚２１下端及び左右の肘掛け下端に上記挿入穴に挿入・保持可能な挿入片２２、３１を垂設することにより、背もたれの左右の支持脚の前端に、左右の肘掛け後端を当接した状態でこれらを便器本体上に立設可能とし、肘掛けの上面にキャップ部材３３を着脱自在に配すると共に、上記キャップ部材は便器本体に背もたれのみを立設した際に開口状態となる挿入穴の前方箇所に着脱可能な形状とする。【選択図】      図１
2005000387.tif 000002
【特許請求の範囲】
【請求項１】
便器本体の上面に背もたれ及び左右の肘掛けを着脱自在に配した携帯用便器において、便器本体の上面の左右に長穴状の挿入穴を配すると共に、背もたれの左右の支持脚下端及び左右の肘掛け下端に上記挿入穴に挿入・保持可能な挿入片を垂設することにより、背もたれの左右の支持脚の前端に、左右の肘掛け後端を当接した状態でこれらを便器本体上に立設可能とし、肘掛けの上面にキャップ部材を着脱自在に配すると共に、上記キャップ部材は便器本体に背もたれのみを立設した際に開口状態となる挿入穴の前方箇所に着脱可能な形状としたことを特徴とする携帯用便器。
【請求項２】
便器本体上面を覆う蓋体の両端の全長方向に配した長溝状の案内溝を便器本体後方に突設した一対のピンに摺嵌して、上記一対のピンに対して蓋体を前後移動及び回動可能とすることにより、蓋体を便器本体に対してその上面に重ねた位置から背面に立てかけた位置まで上記のピンに沿って連続的にガイド走行可能とすると共に、背もたれ下方に上記ガイド走行する蓋体が通過可能な窓を設けた請求項１記載の携帯用便器。
【請求項３】
裏面に収容ポケットを配した開閉部材及びトレー部材を用意し、これらを便器本体の両側に着脱自在とした請求項１又は２記載の携帯用便器。
【発明の詳細な説明】
【０００１】
【発明の属する技術分野】
この発明はトイレに行くことが困難な病人や老人が寝室や居室で用を足すために使用する携帯用便器に関する。
【０００２】
【従来の技術】
使用者が着座可能な腰掛け状の便器本体内に便容器を設け、上面に便座及び蓋体を設けた携帯用便器が従来公知である。
【０００３】
又、前記の携帯用便器において着座を容易にするために便器後方に背もたれを配したり、便器左右に肘掛けを配したものも公知である。
【０００４】
【発明が解決しようとする課題】
ところで、前記したこの種の便器の用法においては、便器はベッド脇で使用される場面が多く、その場合例えば他の家具や壁面とベッドとの間隔が狭く、便器の背もたれや肘掛けが邪魔になってベッド脇に置けなかったり、置けたとしても周囲の余裕がなくなり、介助者の介助作業に支障を来すことがある。又、使用者がベッドと便器間を移乗する場合に便器の移乗側の肘掛けが邪魔になり移乗し難いことがある。更に介助者が介助作業を行うために便器本体上に手を差し入れる際に背もたれや腰掛けが邪魔になる場合もある。これらの場合、背もたれや腰掛けを必要に応じて着脱できれば便利である。
【０００５】
一方、便器には不使用時に被蓋するための蓋体が必須となるが、これを通常の洋式便器のようにヒンジにより回動させて使用時に撥ね上げる構造とすると、前記の背もたれを使用できなくなる問題が生じる。この場合、蓋体を取り外し自在の構造とした場合には、取り外した蓋体の置き場所に困る問題が生じる。
【０００６】
又、便器はいつでも使用できるように、ベッド脇に常時置いておくことが望ましいが、その部分がデッドスペースとなる問題もあった。
【０００７】
【課題を解決するための手段】
この発明は以上の課題を達成するために創作されたものであり、ここでは次の３つの発明を開示する。
【０００８】
第１の発明は便器本体の上面に背もたれ及び左右の肘掛けを着脱自在に配した携帯用便器において、便器本体の上面の左右に長穴状の挿入穴を配すると共に、背もたれの左右の支持脚下端及び左右の肘掛け下端に上記挿入穴に挿入・保持可能な挿入片を垂設することにより、背もたれの左右の支持脚の前端に、左右の肘掛け後端を当接した状態でこれらを便器本体上に立設可能とし、肘掛けの上面にキャップ部材を着脱自在に配すると共に、上記キャップ部材は便器本体に背もたれのみを立設した際に開口状態となる挿入穴の前方箇所に着脱可能な形状としたことを特徴とする。
【０００９】
第２の発明は前記の第１の発明の携帯用便器において、便器本体上面を覆う蓋体の両端の全長方向に配した長溝状の案内溝を便器本体後方に突設した一対のピンに摺嵌して、上記一対のピンに対して蓋体を前後移動及び回動可能とすることにより、蓋体を便器本体に対してその上面に重ねた位置から背面に立てかけた位置まで上記のピンに沿って連続的にガイド走行可能とすると共に、背もたれ下方に上記ガイド走行する蓋体が通過可能な窓を設けたことを特徴とする。
【００１０】
第３の発明は前記の第１発明又は第２発明の携帯用便器において、裏面に収容ポケットを配した開閉部材及びトレー部材を用意し、これらを便器本体の両側に着脱自在としたことを特徴とする。
【００１１】
【発明の実施の形態】
以下、この発明の具体的実施例を添付図面に基づいて説明する。この便器は便器本体１とこれに対して着脱自在に用意される背もたれ２０及び左右の肘掛け３０、３０からなり（図１乃至図３参照）、ここではこれらの素材としてプラスチックを使用している。便器本体１は腰掛け状に構成され、内部には便を収容するための便容器３が着脱自在に設けられる（図７参照）。又、便器本体１の下面には所定寸法に引き出し可能な４本の脚５、５、５、５が配されることにより、所定の高さに調節可能とされる。
【００１２】
便器本体１の上面には便座２がヒンジ（図示せず）により開閉自在に設けられ（図１２及び図１３参照）、更にその上に蓋体６が設けられる（図乃至図６は蓋体を閉じた状態を、図１１乃至図１３は開いた状態を示す。）。蓋体６の左右両端の側面には長溝状の案内溝７が配され（図８及び図９参照）、一方、便器本体後方には上記の案内溝に摺嵌する一対のピン８、８が突設される。その結果、図９に示すように蓋体６は便器本体１に対してその上面に重ねた位置から背面に立てかけた位置までピン８、８に沿って連続的にガイド走行可能となり、開放時には便器本体１の背面に立てかけて収容することが可能となる（図１１参照）。
【００１３】
又、便器本体１の両側側面は中央に向かって凹陥した形状よりなり、それぞれの側面にはヒンジ（図示せず）により開閉自在な開閉部材１０（図１及び図１５参照）及びトレー部材１６（図１２参照）が着脱自在に設けられる。開閉部材１０は裏面に収容ポケット１１が設けられ、露出してほしくない清掃用具や、便容器の中蓋の収容に適している。又、トレー部材１６はトイレットペーパーを収容可能な程度の内寸の上面開放の容器状に構成される。そして、便器本体１の両側側面を同じ形状に構成すると共に、開閉部材１０及びトレー部材１６の便器本体への取り付け構造を共通化することにより、これらの部材は必要に応じて便器本体の左右どちらの面にも取り付け可能とする。
【００１４】
以上の構成よりなる便器本体１の上面の左右には長穴状の挿入穴４、４が設けられ、ここに背もたれ２０及び左右の肘掛け３０、３０が立設される。背もたれ２０は左右に有する支持脚２１、２１の下端に挿入片２２、２２が垂設され、この挿入片が挿入穴４、４の後方箇所に挿入・保持される。一方、左右の肘掛け３０、３０は下端に挿入片３１、３１が垂設され、この挿入片が挿入穴４、４の前方箇所に挿入・保持される（図１及び図２参照）。又、以上の背もたれ２０及び肘掛け３０、３０は、背もたれの左右の支持脚２１、２１の前端に、左右の肘掛け後端を当接した状態で挿入穴４、４に立設される。尚、背もたれ２０は左右の支持脚２１、２１間を開放することにより、ガイド走行する前記の蓋体６が便器本体背面に移動するに際し通過可能な窓を構成している。
【００１５】
図中符号３３、３３は左右の肘掛け３０、３０の上面に着脱自在に配されるキャップ部材である。このキャップ部材３３、３３は下端に垂設した挿入片３４を左右の肘掛け３０、３０の上面に設けた挿入穴３２、３２に挿入することにより左右の肘掛けに配されるが（図１参照）、キャップ本体の形状を容器本体１に背もたれ２０のみを立設した際に開口状態となる挿入穴４、４の前方箇所を被蓋する形状とすると共に、挿入片の形状を上記挿入穴に挿入可能な形状とすることにより、肘掛けを外した際に露出する容器本体上面の挿入穴の穴埋めを行うことができる（図１２参照）。
【００１６】
【発明の効果】
以上の構成よりなるこの発明は次の特有の効果を奏する。
（１）  背もたれ、左右の肘掛けを自由に着脱できるので、購入者において設置環境により任意の部材のみを外した自由な形態の携帯用便器を作ることができる。例えば、図１２は使用者が椅子の向かって右側から椅子に移動することを想定して右側の肘掛けのみを外した例、図１３は左右から移動することを想定して両側の肘掛けを外した例、図１４はそれに加えて介助者の作業性を考慮して背もたれも外した例を示す図である。尚、図１４において、図中符号４０はこの場合に挿入穴４、４の全面を覆うために別途用意されるキャップを指す。
（２）  上記の場合において、肘掛けのみを外した場合に、肘掛けのキャップ部材をもって肘掛けを外した際に露出する容器本体上面の挿入穴の穴埋めを行うことができるので見栄えがよい。
（３）  蓋体は背もたれ下方に向けた窓を通過しながら、便器背面の立てかけ位置までガイド走行されるので、開放時の置き場所を考慮する必要がない。
（４）  裏面に収容ポケットを配した開閉部材及びトレー部材を、必要に応じて便器本体の左右の何れにも取り付けることができるので、設置環境に応じて最適な位置を選択できる。
【図面の簡単な説明】
【図１】この発明の携帯用便器の便器本体と背もたれ及び左右の肘掛けの分解状態の開閉部材側の側面図。
【図２】同上、便器本体と背もたれの分解状態の正面図。
【図３】同上、便器本体と背もたれ及び左右の肘掛けの組み立て状態の側面図。
【図４】同上、便器本体と背もたれ及び左右の肘掛けの組み立て状態の正面図。
【図５】同上、便器本体と背もたれ及び左右の肘掛けの組み立て状態の平面図。
【図６】同上、便器本体と背もたれ及び左右の肘掛けの組み立て状態の背面図。
【図７】同上、便器本体と背もたれ及び左右の肘掛けの組み立て状態の底面図。
【図８】同上、蓋体の底面図。
【図９】同上、蓋体の側面図。
【図１０】同上、便器本体と背もたれ及び左右の肘掛けの組み立て状態の蓋体を開いた背面図。
【図１１】同上、便器本体と背もたれ及び左右の肘掛けの組み立て状態の蓋体を開いた平面図。
【図１２】同上、便器本体と背もたれ及び左側の肘掛けの組み立て状態の蓋体を開いた斜視図。
【図１３】同上、便器本体と背もたれの組み立て状態の蓋体を開いた斜視図。
【図１４】同上、便器本体の蓋体を開いた斜視図。
【図１５】同上、便器本体の背もたれ及び左右の肘掛けの組み立て状態の開閉部材を開いた正面図。
【図１６】同上、便器本体の背もたれ及び左右の肘掛けの組み立て状態のトレー部材側の側面図。
【符号の説明】
１      便器本体
４      挿入穴
１０    開閉部材
１２    トレー部材
２０    背もたれ
２１    支持脚
２２    挿入片
３０    肘掛け
３１    挿入片
３３    キャップ部材
【図１】
2005000387.tif 000003
【図２】
2005000387.tif 000004
【図３】
2005000387.tif 000005
【図４】
2005000387.tif 000006
【図５】
2005000387.tif 000007
【図６】
2005000387.tif 000008
【図７】
2005000387.tif 000009
【図８】
2005000387.tif 000010
【図９】
2005000387.tif 000011
【図１０】
2005000387.tif 000012
【図１１】
2005000387.tif 000013
【図１２】
2005000387.tif 000014
【図１３】
2005000387.tif 000015
【図１４】
2005000387.tif 000016
【図１５】
2005000387.tif 000017
【図１６】
2005000387.tif 000018